(57)【要約】  システム及び方法は、ウェアラブルデバイスの使用構成を決定し、該使用構成に少なくとも部分的に基づいて、ウェアラブルデバイスの気導スピーカの活性化状態を設定することを提供することができる。加えて、使用構成情報に基づいて、ウェアラブルデバイスの組織伝導スピーカの活性化状態も設定することができる。一例では、使用構成は、気導スピーカ又は組織伝導スピーカのうちの１つ以上に関連付けられる物理的位置、物理的活動、現在の活性化状態、対人近接状態又は手動のユーザ要求のうちの１つ以上を示す、１組のステータス信号に基づいて決定される。
2018518070.tif 000002
【特許請求の範囲】
【請求項１】
ウェアラブルデバイスであって：
気導スピーカと；
組織伝導スピーカと；
構成可能な論理ハードウェア又は固定機能の論理ハードウェアのうちの１つ以上で実装されるロジックであって、
当該ウェアラブルデバイスの使用構成を決定し、
前記使用構成に少なくとも部分的に基づいて前記気導スピーカの活性化状態を設定し、
前記使用構成に少なくとも部分的に基づいて前記組織伝導スピーカの活性化状態を設定する、
ロジックと；
を具備する、ウェアラブルデバイス。
【請求項２】
１つ以上のセンサを更に含み、
前記使用構成は、前記気導スピーカ又は前記組織伝導スピーカのうちの１つ以上に関連付けられる物理的位置、物理的活動、現在の活性化状態、対人近接状態又は手動のユーザ要求のうちの１つ以上を示す、前記１つ以上のセンサからの１組のステータス信号に基づいて決定される、
請求項１に記載のウェアラブルデバイス。
【請求項３】
前記ロジックは、当該ウェアラブルデバイスに関連付けられるオーディオ信号の属性を決定し、前記気導スピーカの前記活性化状態又は前記組織伝導スピーカの前記活性化状態のうちの１つ以上が、前記属性に更に基づいて設定される、
請求項１に記載のウェアラブルデバイス。
【請求項４】
前記気導スピーカの前記活性化状態又は前記組織伝導スピーカの前記活性化状態のうちの１つ以上が、当該ウェアラブルデバイスに関連付けられる電力条件又は周囲雑音条件のうちの１つ以上に更に基づいて設定される、
請求項１に記載のウェアラブルデバイス。
【請求項５】
前記ロジックは、前記使用構成に基づいて前記組織伝導スピーカの最適化状態を設定する、
請求項１乃至４のいずれか一項に記載のウェアラブルデバイス。
【請求項６】
前記最適化状態は、音楽固有の最適化状態又は音声固有の最適化状態のうちの１つ以上である、
請求項５に記載のウェアラブルデバイス。
【請求項７】
ウェアラブルデバイスを動作させる装置において、
構成可能な論理ハードウェア又は固定機能の論理ハードウェアのうちの１つ以上で実装されるロジックであって：
前記ウェアラブルデバイスの使用構成を決定し、
前記使用構成に少なくとも部分的に基づいて気導スピーカの活性化状態を設定し、
前記使用構成に少なくとも部分的に基づいて組織伝導スピーカの活性化状態を設定する、
ロジック；
を具備する、装置。
【請求項８】
前記使用構成は、前記気導スピーカ又は前記組織伝導スピーカのうちの１つ以上に関連付けられる物理的位置、物理的活動、現在の活性化状態、対人近接状態又は手動のユーザ要求のうちの１つ以上を示す、１組のステータス信号に基づいて決定される、
請求項７に記載の装置。
【請求項９】
前記ロジックは、前記ウェアラブルデバイスに関連付けられるオーディオ信号の属性を決定し、前記気導スピーカの前記活性化状態又は前記組織伝導スピーカの前記活性化状態のうちの１つ以上が、前記属性に更に基づいて設定される、
請求項８に記載の装置。
【請求項１０】
前記気導スピーカの前記活性化状態又は前記組織伝導スピーカの前記活性化状態のうちの１つ以上が、前記ウェアラブルデバイスに関連付けられる電力条件又は周囲雑音条件のうちの１つ以上に更に基づいて設定される、
請求項８に記載の装置。
【請求項１１】
前記ロジックは、前記使用構成に基づいて前記組織伝導スピーカの最適化状態を設定する、
請求項８乃至１０のいずれか一項に記載の装置。
【請求項１２】
前記最適化状態は、音楽固有の最適化状態又は音声固有の最適化状態のうちの１つ以上である、
請求項１１に記載の装置。
【請求項１３】
ウェアラブルデバイスを動作させる方法において：
前記ウェアラブルデバイスの使用構成を決定するステップと；
前記使用構成に少なくとも部分的に基づいて気導スピーカの活性化状態を設定するステップと；
前記使用構成に少なくとも部分的に基づいて組織伝導スピーカの活性化状態を設定するステップと；
を具備する、方法。
【請求項１４】
前記使用構成は、前記気導スピーカ又は前記組織伝導スピーカのうちの１つ以上に関連付けられる物理的位置、物理的活動、現在の活性化状態、対人近接状態又は手動のユーザ要求のうちの１つ以上を示す、１組のステータス信号に基づいて決定される、
請求項１３に記載の方法。
【請求項１５】
前記ウェアラブルデバイスに関連付けられるオーディオ信号の属性を決定するステップを更に含み、前記気導スピーカの前記活性化状態又は前記組織伝導スピーカの前記活性化状態のうちの１つ以上が、前記属性に更に基づいて設定される、
請求項１３に記載の方法。
【請求項１６】
前記気導スピーカの前記活性化状態又は前記組織伝導スピーカの前記活性化状態のうちの１つ以上が、前記ウェアラブルデバイスに関連付けられる電力条件又は周囲雑音条件のうちの１つ以上に更に基づいて設定される、
請求項１３に記載の方法。
【請求項１７】
前記使用構成に基づいて前記組織伝導スピーカの最適化状態を設定するステップを更に含む、
請求項１３乃至１６のいずれか一項に記載の方法。
【請求項１８】
前記最適化状態は、音楽固有の最適化状態又は音声固有の最適化状態のうちの１つ以上である、
請求項１７に記載の方法。
【請求項１９】
装置によって実行されると、該装置に：
ウェアラブルデバイスの使用構成を決定させ；
前記使用構成に少なくとも部分的に基づいて気導スピーカの活性化状態を設定させ；
前記使用構成に少なくとも部分的に基づいて組織伝導スピーカの活性化状態を設定させる；
コンピュータプログラム。
【請求項２０】
前記使用構成は、前記気導スピーカ又は前記組織伝導スピーカのうちの１つ以上に関連付けられる物理的位置、物理的活動、現在の活性化状態、対人近接状態又は手動のユーザ要求のうちの１つ以上を示す、１組のステータス信号に基づいて決定される、
請求項１９に記載のコンピュータプログラム。
【請求項２１】
前記装置に更に、前記ウェアラブルデバイスに関連付けられるオーディオ信号の属性を決定させ、前記気導スピーカの前記活性化状態又は前記組織伝導スピーカの前記活性化状態のうちの１つ以上が、前記属性に更に基づいて設定される、
請求項１９に記載のコンピュータプログラム。
【請求項２２】
前記気導スピーカの前記活性化状態又は前記組織伝導スピーカの前記活性化状態のうちの１つ以上が、前記ウェアラブルデバイスに関連付けられる電力条件又は周囲雑音条件のうちの１つ以上に更に基づいて設定される、
請求項１９に記載のコンピュータプログラム。
【請求項２３】
前記装置に更に、前記使用構成に基づいて前記組織伝導スピーカの最適化状態を設定させる、
請求項１９乃至２２のいずれか一項に記載のコンピュータプログラム。
【請求項２４】
前記最適化状態は、音楽固有の最適化状態又は音声固有の最適化状態のうちの１つ以上である、
請求項２３に記載のコンピュータプログラム。
【請求項２５】
請求項１３乃至１６のいずれか一項に記載の方法を実行するための手段を具備する、ウェアラブルデバイスを動作させる装置。
【請求項２６】
請求項１９乃至２４のいずれか一項に記載のコンピュータプログラムを記憶するコンピュータ読取可能記憶媒体。
【発明の詳細な説明】
【技術分野】
【０００１】
本出願は、２０１５年３月２７日出願の米国特許出願第14/671,645号の優先権の利益を主張する。
【背景技術】
【０００２】
実施形態は、ウェアラブルデバイスにおける気導スピーカと組織伝導スピーカと組合せの使用に関する。より具体的には、実施形態は、気導スピーカと組織伝導スピーカとの間のインテリジェント切り替えに関する。
【０００３】
音楽を聴き、電話の会話等を行うためにヘッドセットが使用されることがある。従来的なヘッドセットは、外耳道内のオープンスペースへ音波を届ける気導スピーカを有することがある。したがって、装着者は、イヤホン（ear  buds）を外耳道内に挿入するか、耳の上又は耳の上にわたって「ヘッドホン（ear  cans）」を置くことができる。しかしながら、そのような構成は、例えば帽子や眼鏡等の他のウェアラブルデバイスのフォームファクタに適してない可能性がある。一方、骨導スピーカは、頭蓋骨の部分へ音波を直接届けることができる。骨導スピーカは、様々なウェアラブルフォームファクタにとってより適切である可能性があるが、改善の余地はかなりある。例えば骨導スピーカのみを含むウェアラブルデバイスは、サウンドの品質及び／又はノイズキャンセルが乏しくなる可能性がある。
【図面の簡単な説明】
【０００４】
実施形態の様々な利点は、以下の説明及び添付の特許請求の範囲を読み、以下の図面を参照することにより、当業者に明らかになるであろう。
【図１】一実施形態による、気導スピーカと組織伝導スピーカとの双方を含むウェアラブルデバイスの例を示す図である。
【図２】一実施形態による、論理アーキテクチャの例を示すブロック図である。
【図３】一実施形態による、ウェアラブルデバイスを動作させる方法の例を示すフローチャートである。
【図４】一実施形態による、特定の使用シナリオでウェアラブルデバイスを動作させる例を示すフローチャートである。
【発明を実施するための形態】
【０００５】
次に図１に移ると、ウェアラブルデバイス１０が図示されている。ウェアラブルデバイス１０は一般的に、例えば音楽コンテンツや電話会話コンテンツ等といったオーディオ信号１８をウェアラブルデバイス１０のユーザに届けるために使用されることがある。オーディオ信号１８は、リモートデバイス１２（例えばスマートフォン、ノートブックコンピュータ、タブレットコンピュータ、コンバーチブルタブレット、モバイルインターネットデバイス／ＭＩＤ、パーソナルデジタルアシスタント／ＰＤＡ、デスクトップコンピュータ、メディアプレイヤ等）から取得されてもよく、ウェアラブルデバイス１０から内部的に取得されてもよく、かつ／又は周囲環境から直接取得されてもよい。図示されるウェアラブルデバイス１０は、イヤホン型ヘッドセットのフォームファクタを含んでいるが、ヘッドホン型のヘッドセット、帽子、眼鏡、補聴器等のような他のフォームファクタが使用されてもよい。
【０００６】
ウェアラブルデバイス１０は、１つ以上の気導スピーカ１４並びに１つ以上の組織伝導スピーカ１６を含むことができる。気導スピーカ１４は、ユーザの外耳道のオープンスペースに音波を届けるように構成されてよく、一方、組織伝導スピーカ１６は、ユーザの頭蓋骨に音波を直接届けるように構成されてよい。したがって、気導スピーカ１４は、放射されたサウンドのほとんどを、外耳道を通って鼓膜（tympanic  membrane／ear  drum）へと伝送して中耳骨を振動させることができ、その後、蝸牛（choclea、cochlea）を刺激することができる。一方、組織伝導スピーカ１６は、主として皮膚との接触を通してサウンドを伝達することができ、サウンドが、骨又は軟組織を通って内耳へと伝導されて、より直接的に蝸牛を刺激することを可能にする。気導スピーカ１４は、サウンドを、ある程度まで組織中を伝達させる（すなわち、外耳及び中耳をバイパスする）こともできるが、伝導の主なモードは、外耳道、鼓膜、そして中耳骨を介する。同様に、組織伝導スピーカ１６は、一部の音波を外耳道中で伝達するが、これらは主に、図示される気導スピーカ１４よりも、より効率的に組織中のサウンドの伝達を最適化するように設計される。
【０００７】
更に詳細に議論すると、ウェアラブルデバイス１０は、該ウェアラブルデバイス１０の使用構成（usage  configuration）（例えば状況／コンテキスト）を決定し、この使用構成に基づいて、気導スピーカ１４及び組織伝導スピーカ１６の活性化状態及び／又は最適化状態を自動的に設定することができる。そのようなアプローチは、ウェアラブルデバイス１０が、該ウェアラブルデバイス１０が使用されている状況との関連で、ウェアラブルデバイス１０自体を最適な状態でインテリジェントに動作させることを可能にすることができる。したがって、図示されるウェアラブルデバイス１０は、プライバシの問題を未然に防ぎ、サウンドの品質及び／又はノイズキャンセルを改善し、最終的に強化されたユーザ経験へと導く。一部の実施形態では、気導スピーカ１４が環境内に配置されてよく、組織伝導スピーカ１６が身体に装着される。
【０００８】
図２は、論理アーキテクチャ２２を含むプロセッサ２０と、イヤホンスピーカ２８ａ、ヘッドホンスピーカ２８ｂ、組織伝導スピーカ２８ｃを含む１組のハイブリッドサウンド出力スピーカ２８（２８ａ〜２８ｃ）を含み、ここで、イヤホンスピーカ２８ａ及びヘッドホンスピーカ２８ｂは気導スピーカと考えてよい。一般的に、プロセッサ２０は、既に議論したように、例えばウェアラブルデバイス１０（図１）等のようなウェアラブルデバイス及び／又はリモートデバイス１２等のようなリモートデバイスに組み込まれてよい。論理アーキテクチャ２２はプロセッサ２０の外部で実装されてもよく、プロセッサ２０は様々な他のコンポーネント３０（例えばインタフェースコントローラ、キャッシュ等）を含んでよい。
【０００９】
図示される例では、論理アーキテクチャ２２は、ウェアラブルデバイスの使用構成を決定するコンテキスト決定器３２（３２ａ〜３２ｄ）を含む。コンテキスト決定器３２は、一般的に、センサアレイ３４（例えば１つ以上のモーションセンサ、位置センサ、圧力センサ、近接センサ、生体センサ、容量タッチセンサ、マイクロフォン等を含む）からの１組のステータス信号、かつ／又は１つ以上のオーディオソース３６（例えばメディアプレイヤ、ネットワークコントローラ、大容量ストレージ、フラッシュメモリ）からのオーディオ信号に基づいて、あるいはユーザによる明示的な設定として、使用構成を決定することができる。より具体的に、図示されるコンテキスト決定器３２は、センサアレイ３４からの１つ以上のステータス信号に基づいて、ウェアラブルデバイスに関連付けられる物理的活動（例えばランニング、ウォーキング、睡眠）を識別する活動コンポーネント３２ａを含む。加えて、位置コンポーネント３２ｂが、ステータス信号のうちの１つ以上に基づいて、ウェアラブルデバイスに関連付けられる物理的位置（例えば耳の中（in-ear）、耳の上（on-ear）、耳の外（out-of-ear）、耳から離れている（off-of-ear））を識別することができる。したがって、位置コンポーネント３２ｂは、イヤホンスピーカ２８ａ内に埋め込まれる圧力センサ及び／又はヘッドホンスピーカ２８ｂ内に埋め込まれるマイクロフォンからステータス信号を受け取り、ユーザが現在、イヤホンスピーカ２８ａ及び／又はヘッドホンスピーカ２８ｂを装着しているかどうかを判断する可能性がある。対人近接（interpersonal  proximity）コンポーネント３２ｃは、ステータス信号のうちの１つ以上に基づいて、ウェアラブルデバイスに関連付けられる人間相互間の近接状態（例えば他の個人／デバイスと近接、単独）を識別することができる。
【００１０】
コンテキスト決定器３２は、センサアレイ３４からのステータス信号に基づいて、例えばサウンド出力スピーカ２８の現在の活性化状態、（例えば容量タッチセンサを介した）手動のユーザ要求の発生等のような使用構成の他の側面を決定してもよい。図示されるコンテキスト決定器３２は、サウンド出力スピーカ２８を介して届けられるオーディオ信号の１つ以上の属性を決定する、オーディオ分類コンポーネント３２ｄも含む。属性は、例えば度数分布情報（frequency  distribution  information）（例えば音楽コンテンツ識別子、音声コンテンツ識別子、ソース識別子等）、ボリューム情報、タイミング情報等を含む可能性がある。コンテキスト決定器３２は、コンテキスト決定を行うために、追加及び／又は異なるコンポーネントを含んでもよい。論理アーキテクチャ２２は、コンテキスト決定器３２からの使用構成情報に基づいて、サウンド出力スピーカ２８の活性化状態を自動的に設定するサウンドコーディネータ３８も含んでよい。例えばウェアラブルデバイスのユーザが音楽を聴きながら自転車に乗っていることを使用構成情報が示すとき（例えばユーザが音楽を引き続き聴きながら周囲環境の交通音をより効率的に聞くことを可能にするために）、サウンドコーディネータ３８は、組織伝導スピーカ２８ｃをアクティブにして、イヤホンスピーカ２８ａ及びヘッドホンスピーカ２８ｂを非アクティブにする可能性がある。あるいは、（例えば外側に面したマイクロフォンからのステータス信号に基づいて）、ウェアラブルデバイスのユーザが近くの個人とフェース・トゥー・フェースの会話を開始したことを使用構成情報が示すとき、サウンドコーディネータ３８はサウンド出力スピーカ２８の全てを非アクティブにしてもよい。
【００１１】
サウンドコーディネータ３８は、使用構成情報に基づいてサウンド出力スピーカ２８の最適化状態を設定してもよい。最適化状態は、例えば音楽固有の最適化状態、音声固有の最適化状態等を含む可能性がある。例えば組織伝導スピーカ２８ｃは、音楽を聴くことには理想的ではない可能性がある（例えばより低い周波数のサウンドが「耳障りな（tinny）」品質となる可能性がある）。したがって、サウンドコーディネータ３８は、オーディオ信号が音楽を含むことを使用構成情報が示すとき、組織伝導スピーカ２８ｃを音楽固有の最適化状態に置くことができる。そのようなアプローチは、イヤホンスピーカ２８ａ又はヘッドホンスピーカ２８ｂを通して伝達される周波数のフルスペクトルと競合しないように、より高い周波数の音楽トーンを強化することができる。一方、サウンドコーディネータ３８は、オーディオ信号が音声コンテンツを含むこと（例えば電話の通話が進行中であること）を使用構成情報が示すとき、組織伝導スピーカ２８ｃを、（例えば音声周波数を強化する）音声固有の最適化状態に置く可能性がある。
【００１２】
サウンドコーディネータ３８及び／又はコンテキスト決定器３２は、例えば電力条件及び／又は周囲雑音条件等の他の条件も考慮に入れてよい。例えばサウンドコーディネータ３８及び／又はコンテキスト決定器３２は、低バッテリ電力条件が検出されると、低電力スピーカに自動的に切り替えてもよい。加えて、サウンドコーディネータ３８及び／又はコンテキスト決定器３２は、高い周囲雑音条件が検出されると、気導スピーカを使用することに切り替えてもよい。別の例では、論理アーキテクチャ２２が、周囲雑音レベルに応じて、オーディオ信号（例えば電話の通話からの音声コンテンツ）におけるアドホックな「ひずみ（distortion）」を作成し、このひずみを、サウンド出力スピーカ２８の混合システム（mixed  system）に分散させてもよい。例えば周囲雑音が低周波数の場合、論理アーキテクチャ２２は、（例えばその時間的特徴にひずみを生じることなく、すなわちピッチシフトを生じることなく）サウンドのピッチを増加させて、修正したオーディオ信号を組織伝導スピーカ２８ｃに伝達する可能性がある。これは比較的高周波数のサウンドにより適している可能性がある。ピッチは、話している人及び通信チャネルに応じて異なる可能性があるとすると、論理アーキテクチャ２２は、音声を音響レンダリングするために最も良い方法を選択することができる。この点に関して、周囲雑音は、センサアレイ３４内のマイクロフォンを介して、かつ／又はマイクロフォンとして別の目的に使用される、反転された（例えば外側へ向けられる）ヘッドホンスピーカ２８ｂを介して検出されてよい。反転された（inverted）ヘッドホンスピーカ２８ｂは、組織伝導スピーカ２８ｃについての雑音レベリングを提供するが、別個のマイクロフォンの必要性を取り除くことができる。
【００１３】
論理アーキテクチャ２２は、空間距離と人間のサウンド知覚を利用することにより、オーディオ及び振動を通して３Ｄ（三次元）及び／又は空間効果を作ることもできる。さらに、この特徴を強化するために（例えば頭蓋骨の異なる部分で組織伝導する）異なる物理的な実施形態も作ることができる。別の例では、ユーザがハイブリッドサウンド出力スピーカ２８を装着しているとき、気導スピーカを介して伝達される他の音楽又は音声会話コンテンツに加えて、組織伝導スピーカ２８ｃを使用して警告又は他の通知（例えばテキストメッセージ、カレンダーのリマインダ）を伝達してもよい。そのようなアプローチがユーザに与える干渉及び不快感はより少ないことがある。実際、アプリケーションの開発者は、どのスピーカを使用してサウンドを配信するかに応じてユーザに対して異なる生理的効果を持つ新たな聴覚経験を作成するために、気導スピーカと組織伝導スピーカ２８ｃを独立に対象にすることがある。以下は１組の表である：表Ｉは、音楽が気導スピーカと組織伝導スピーカの双方で再生可能な例を示し；表ＩＩは、音楽が気導スピーカのみで再生可能な例を示し；表ＩＩＩは、音楽が気導スピーカと組織伝導スピーカの双方で再生可能であり、手動のユーザ要求が可能にされる例を示す。
【表１】
2018518070.tif 000003
【表２】
2018518070.tif 000004
【表３】
2018518070.tif 000005
【００１４】
図３はウェアラブルデバイスを動作させる方法４０を図示している。方法４０は、一般的に、例えば既に説明した論理アーキテクチャ２２（図２）のような論理アーキテクチャで実装されてよい。より具体的には、方法４０は、例えばプログラマブル論理アレイ（ＰＬＡｓ）、フィールドプログラマブルゲートアレイ（ＦＰＧＡｓ）、結合プログラム可能論理回路（ＣＰＬＤｓ）のような構成可能なロジックで、例えば特定用途向け集積回路（ＡＳＩＣ）、ＣＭＯＳ又はトランジスタ−トランジスタ論理回路（ＴＴＬ）技術のような回路技術を使用する固定機能論理ハードウェア（fixed-functionality  logic  hardware）で、あるいはその任意の組合せで、ランダムアクセスメモリ（ＲＡＭ）、読取専用メモリ（ＲＯＭ）、プログラマブルＲＯＭ（ＰＲＯＭ）、ファームウェア、フラッシュメモリ等のようなマシン又はコンピュータ読取可能記憶媒体内に記憶される１組の論理命令として１つ以上のモジュールで実装されてよい。例えば方法４０に示される動作を実行するコンピュータプログラムコードは、ＪＡＶＡ（登録商標）、ＳＭＡＬＬＴＡＬＫ、Ｃ＋＋等のようなオブジェクト指向プログラミング言語、並びに「Ｃ」プログラミング言語や同様のプログラミング言語のような従来の手続的プログラミング言語を含め、１つ以上のプログラミング言語の任意の組合せで書くことができる。
【００１５】
図示される処理ブロック４２は、ウェアラブルデバイスの使用構成を決定することを提供する。使用構成は、例えばウェアラブルデバイスの気導スピーカ又は組織伝導スピーカのうちの１つ以上に関連付けられる物理的位置、物理的活動、現在の活性化状態、対人近接状態及び／又は手動のユーザ要求を示す、１組のステータス信号に基づいて決定されてよい。加えて、ブロック４４は、任意選択で、ウェアラブルデバイスに関連付けられるオーディオ信号の属性を決定してもよい。属性は、度数分布情報（例えば音楽コンテンツ識別子、音声コンテンツ識別子、ソース識別子等）、ボリューム情報、タイミング情報等を含んでよい。ブロック４４は、ウェアラブルデバイスに関連付けられる電力条件及び／又は周囲雑音条件を決定することも含んでよい。
【００１６】
ブロック４６は、使用構成、オーディオ信号属性、電力条件又は周囲雑音条件のうちの１つ以上に基づいて、ウェアラブルデバイスの気導スピーカの活性化状態を自動的に設定することができる。同様に、図示されるブロック４８は、使用構成、オーディオ信号属性、電力条件又は周囲雑音条件のうちの１つ以上に基づいて、ウェアラブルデバイスの組織伝導スピーカの活性化状態を自動的に設定する。ブロック４６及び４８は、気導スピーカ及び／又は組織伝導スピーカの最適化状態を設定することを含んでもよく、最適化状態は、音楽固有の最適化状態、音声固有の最適化状態等を含んでもよい。例えば音声固有の最適化状態は、比較的低い周波数／高い振幅出力（例えばビート整列（beat  alignment）でサブ１００Ｈｚバースト（sub-100Hz  bursts））の送達を伴う可能性があり、音声固有の最適化状態は、人の発話の周波数範囲（例えば３００Ｈｚ〜３４００Ｈｚ）のエネルギの送達を伴うことがある。ここで与えられる値は、単に議論を容易にするためであり、環境に応じて変化することがある。さらに、ブロック４６及び４８は、図示されるものと異なる順序で、かつ／又は並行に実施されてもよい。
【００１７】
図４は、特定の使用シナリオでウェアラブルデバイスを動作させる方法５０を図示している。方法５０は、一般的に、例えば既に説明した論理アーキテクチャ２２（図２）のような論理アーキテクチャで実装されてよい。より具体的には、方法５０は、例えばＰＬＡｓ、ＦＰＧＡｓ、ＣＰＬＤｓのような構成可能なロジックで、例えばＡＳＩＣ、ＣＭＯＳ又はＴＴＬ技術のような回路技術を使用する固定機能論理ハードウェアで、あるいはその任意の組合せで、ＲＡＭ、ＲＯＭ、ＰＲＯＭ、ファームウェア、フラッシュメモリ等のようなマシン又はコンピュータ読取可能記憶媒体内に記憶される１組の論理命令として１つ以上のモジュールで実装されてよい。
【００１８】
図示される処理ブロック５２は、センサアレイを使用して、選択された音楽を聴くために耳内のイヤホンのような気導スピーカのユーザ配置を検出する。また、ブロック５２は、コンテキスト（状況）の変化を、例えばサウンドコーディネータ３８（図２）のようなサウンドコーディネータに通知することができる。図示されるブロック５４は、コンテキストの変化に応答して、イヤホンから音楽を再生するように指示する。ブロック５６において、センサアレイを使用してユーザがランニングを開始したことを検出することができ、この場合、サウンドコーディネータに、コンテキストにおける追加の変化を通知してもよい。ユーザが、ランニング中に適用されるべき所定のポリシーを有する場合、ブロック５８は、サウンドコーディネータを使用して、音楽を組織伝導スピーカのみから再生するように指示する可能性がある。図示されるブロック６０は、容量センサを使用して（例えば横断歩道（crosswalk）に到達すると）ユーザの接触を検出することがあり、この場合、サウンドは、手動のユーザ要求に応答して１つのイヤホンのみに向けられることがある。ブロック６２において、センサアレイを使用して、ユーザがランニングを終了してクールダウンのために歩いていることを検出することができる。したがって、ブロック６２は、コンテキストの変化をサウンドコーディネータに通知することも提供することができる。ブロック６４において、イヤホンがまだ外耳道内に配置されていることが決定される場合、そのようなシナリオでは、サウンドがイヤホンのみへ向けられるか、１つのイヤホンのみへ向けられることがある。加えて、ブロック６４は、ユーザがもはやランニングをしておらず、音楽を大きくする必要はないので、音楽のボリュームを下げるように、音楽の最適化設定を変更することを提供する可能性がある。簡潔に言うと、音楽の最適化設定は、センサアレイ及び／コンテキスト決定器からの入力に基づいて変化してよい。
【００１９】
付記及び例：
例１はウェアラブルデバイスを含んでよく、気導スピーカと、組織伝導スピーカと、構成可能な論理ハードウェア又は固定機能の論理ハードウェアのうちの１つ以上で実装されるロジックであって、ウェアラブルデバイスの使用構成を決定し、使用構成に少なくとも部分的に基づいて気導スピーカの活性化状態を設定し、使用構成に少なくとも部分的に基づいて組織伝導スピーカの活性化状態を設定するロジックとを具備する。
【００２０】
例２は例１のシステムを含んでよく、１つ以上のセンサを更に含み、使用構成は、気導スピーカ又は組織伝導スピーカのうちの１つ以上に関連付けられる物理的位置、物理的活動、現在の活性化状態、対人近接状態又は手動のユーザ要求のうちの１つ以上を示す、１つ以上のセンサからの１組のステータス信号に基づいて決定される。
【００２１】
例３は例１のシステムを含んでよく、ロジックは、ウェアラブルデバイスに関連付けられるオーディオ信号の属性を決定し、気導スピーカの活性化状態又は組織伝導スピーカの活性化状態のうちの１つ以上が、属性に更に基づいて設定される
【００２２】
例４は例１のシステムを含んでよく、気導スピーカの活性化状態又は組織伝導スピーカの活性化状態のうちの１つ以上が、ウェアラブルデバイスに関連付けられる電力条件又は周囲雑音条件のうちの１つ以上に更に基づいて設定される。
【００２３】
例５は例１乃至例４のいずれか１つのシステムを含んでよく、ロジックは、使用構成に基づいて組織伝導スピーカの最適化状態を設定する。
【００２４】
例６は例５のシステムを含んでよく、最適化状態は、音楽固有の最適化状態又は音声固有の最適化状態のうちの１つ以上である。
【００２５】
例７は、ウェアラブルデバイスを動作させる装置を含んでよく、構成可能な論理ハードウェア又は固定機能の論理ハードウェアのうちの１つ以上で実装されるロジックであって、ウェアラブルデバイスの使用構成を決定し、使用構成に少なくとも部分的に基づいて気導スピーカの活性化状態を設定し、使用構成に少なくとも部分的に基づいて組織伝導スピーカの活性化状態を設定するロジックを具備する。
【００２６】
例８は例７の装置を含んでよく、使用構成は、気導スピーカ又は組織伝導スピーカのうちの１つ以上に関連付けられる物理的位置、物理的活動、現在の活性化状態、対人近接状態又は手動のユーザ要求のうちの１つ以上を示す、１組のステータス信号に基づいて決定される。
【００２７】
例９は例８の装置を含んでよく、ロジックは、ウェアラブルデバイスに関連付けられるオーディオ信号の属性を決定し、気導スピーカの活性化状態又は組織伝導スピーカの活性化状態のうちの１つ以上が、属性に更に基づいて設定される。
【００２８】
例１０は例８の装置を含んでよく、気導スピーカの活性化状態又は組織伝導スピーカの活性化状態のうちの１つ以上が、ウェアラブルデバイスに関連付けられる電力条件又は周囲雑音条件のうちの１つ以上に更に基づいて設定される。
【００２９】
例１１は例８乃至例１０のいずれか１つの装置を含んでよく、ロジックは、使用構成に基づいて組織伝導スピーカの最適化状態を設定する。
【００３０】
例１２は例１１の装置を含んでよく、最適化状態は、音楽固有の最適化状態又は音声固有の最適化状態のうちの１つ以上である。
【００３１】
例１３は、ウェアラブルデバイスを動作させる方法を含んでよく、ウェアラブルデバイスの使用構成を決定するステップと、使用構成に少なくとも部分的に基づいて気導スピーカの活性化状態を設定するステップと、使用構成に少なくとも部分的に基づいて組織伝導スピーカの活性化状態を設定するステップと、を具備する。
【００３２】
例１４は例１３の方法を含んでよく、使用構成は、気導スピーカ又は組織伝導スピーカのうちの１つ以上に関連付けられる物理的位置、物理的活動、現在の活性化状態、対人近接状態又は手動のユーザ要求のうちの１つ以上を示す、１組のステータス信号に基づいて決定される。
【００３３】
例１５は例１３の方法を含んでよく、ウェアラブルデバイスに関連付けられるオーディオ信号の属性を決定するステップを更に含み、気導スピーカの活性化状態又は組織伝導スピーカの活性化状態のうちの１つ以上が、属性に更に基づいて設定される。
【００３４】
例１６は例１３の方法を含んでよく、気導スピーカの活性化状態又は組織伝導スピーカの活性化状態のうちの１つ以上が、ウェアラブルデバイスに関連付けられる電力条件又は周囲雑音条件のうちの１つ以上に更に基づいて設定される。
【００３５】
例１７は例１３乃至例１６のいずれか１つの方法を含んでよく、使用構成に基づいて組織伝導スピーカの最適化状態を設定するステップを更に含む。
【００３６】
例１８は例１７の方法を含んでよく、最適化状態は、音楽固有の最適化状態又は音声固有の最適化状態のうちの１つ以上である。
【００３７】
例１９は、少なくとも１つの非一時的なコンピュータ読取可能記憶媒体を含んでよく、該少なくとも１つの非一時的なコンピュータ読取可能記憶媒体は、装置によって実行されると、装置に、ウェアラブルデバイスの使用構成を決定させ、使用構成に少なくとも部分的に基づいて気導スピーカの活性化状態を設定させ、使用構成に少なくとも部分的に基づいて組織伝導スピーカの活性化状態を設定させる１組の命令を備える。
【００３８】
例２０は、例１９の少なくとも１つの非一時的なコンピュータ読取可能記憶媒体を含んでよく、使用構成は、気導スピーカ又は組織伝導スピーカのうちの１つ以上に関連付けられる物理的位置、物理的活動、現在の活性化状態、対人近接状態又は手動のユーザ要求のうちの１つ以上を示す、１組のステータス信号に基づいて決定される。
【００３９】
例２１は、例１９の少なくとも１つの非一時的なコンピュータ読取可能記憶媒体を含んでよく、命令は、実行されると、装置に、ウェアラブルデバイスに関連付けられるオーディオ信号の属性を決定させ、気導スピーカの活性化状態又は組織伝導スピーカの活性化状態のうちの１つ以上が、属性に更に基づいて設定される。
【００４０】
例２２は、例１９の少なくとも１つの非一時的なコンピュータ読取可能記憶媒体を含んでよく、気導スピーカの活性化状態又は組織伝導スピーカの活性化状態のうちの１つ以上が、ウェアラブルデバイスに関連付けられる電力条件又は周囲雑音条件のうちの１つ以上に更に基づいて設定される。
【００４１】
例２３は、例１９乃至例２２のいずれか１つの少なくとも１つの非一時的なコンピュータ読取可能記憶媒体を含んでよく、命令は、実行されると、装置に、使用構成に基づいて組織伝導スピーカの最適化状態を設定させる。
【００４２】
例２４は、例２３の少なくとも１つの非一時的なコンピュータ読取可能記憶媒体を含んでよく、最適化状態は、音楽固有の最適化状態又は音声固有の最適化状態のうちの１つ以上である。
【００４３】
例２５は、ウェアラブルデバイスを動作させる装置を含んでよく、ウェアラブルデバイスの使用構成を決定するための手段と、使用構成に少なくとも部分的に基づいて気導スピーカの活性化状態を設定するための手段と、使用構成に少なくとも部分的に基づいて組織伝導スピーカの活性化状態を設定するための手段と、を具備する。
【００４４】
例２６は例２５の装置を含んでよく、使用構成は、気導スピーカ又は組織伝導スピーカのうちの１つ以上に関連付けられる物理的位置、物理的活動、現在の活性化状態、対人近接状態又は手動のユーザ要求のうちの１つ以上を示す、１組のステータス信号に基づいて決定される。
【００４５】
例２７は例２５の装置を含んでよく、ウェアラブルデバイスに関連付けられるオーディオ信号の属性を決定するための手段を更に含み、気導スピーカの活性化状態又は組織伝導スピーカの活性化状態のうちの１つ以上が、属性に更に基づいて設定される。
【００４６】
例２８は例２５の装置を含んでよく、気導スピーカの活性化状態又は組織伝導スピーカの活性化状態のうちの１つ以上が、ウェアラブルデバイスに関連付けられる電力条件又は周囲雑音条件のうちの１つ以上に更に基づいて設定される。
【００４７】
例２９は例２５乃至例２８のいずれか１つの装置を含んでよく、使用構成に基づいて組織伝導スピーカの最適化状態を設定するための手段を更に含む。
【００４８】
例３０は例２９の装置を含んでよく、最適化状態は、音楽固有の最適化状態又は音声固有の最適化状態のうちの１つ以上である。
【００４９】
したがって、本明細書で説明される技術は、イヤホン内に埋め込まれる圧力センサを使用してイヤホンが外耳道内に配置されているかどうかを検出し、かつ／又はマイクロフォンを使用してイヤホン又はヘッドホンが皮膚の近くにあることを示すサウンドフィードバックを検出することができる。加えて、サウンドコーディネータは、コンテキスト決定器、サウンドソース、センサ等からの入力を受け入れてよく、その入力に基づいて、サウンド出力を、身体上に装着されている様々なスピーカ（気導及び組織伝導）へインテリジェントに向けることができる。さらに、ユーザは、オーディオ信号／ストリームの伝達をあるスピーカから別のスピーカへシフトするために、（例えば容量タッチインタフェースを介して）フィードバックを提供するか、ウェアラブルデバイスと対話してもよい。別の例では、特定のプレイリストを、使用中のスピーカの最適なオーディオ特性に対して編さんして適合させてもよい（例えば組織伝導プレイリスト対気導プレイリスト）。
【００５０】
実施形態は、全てのタイプの半導体集積回路（「ＩＣ」）チップとの使用に適用可能である。これらのＩＣチップの例には、プロセッサ、コントローラ、チップセットコンポーネント、プログラマブル論理アレイ（ＰＬＡｓ）、メモリチップ、ネットワークチップ、システムオンチップ（ＳｏＣｓ）、ＳＳＤ／ＮＡＮＤコントローラＡＳＩＣ等が含まれるが、これらに限定されない。加えて、図面の一部では、信号導体線が線で表されている。一部が、より多くの構成的な信号経路を示すよう異なっていることがあり、構成的な信号経路を示すよう数字のラベルを有していることがあり、かつ／又は主な情報の流れの方向を示すよう１つ以上の端部に矢印を有していることがある。しかしながら、これらは限定的に解釈されるべきではない。むしろ、そのような付加的な詳細は、回路についてのより容易な理解を促進するよう、１つ以上の例示の実施形態との関連で使用されていることがある。いずれかの表されている信号線は、追加の情報を有するか否かに関わらず、実際には、複数の方向に移動し得る１つ以上の信号を備えていてよく、任意の適切なタイプの信号スキームで実装されてよい。例えばデジタル又はアナログ線が、差動ペア、光ファイバ線、かつ／又はシングルエンドの線で実装される。
【００５１】
例示のサイズ／モデル／値／範囲が与えられているが、実施形態は同じものに限定されない。製造技術（例えばフォトリソグラフィ）が経時的に成熟するにつれて、より小さいサイズのデバイスを製造することが可能になることが予想される。加えて、ＩＣチップ及び他のコンポーネントに対する周知の電力／接地接続は、図面及び議論の簡潔性のため、そして実施形態の特定の側面を曖昧にしないようにするために、図内に図示されていることも図示されていないこともある。さらに、実施形態を曖昧にすることを避けるため、また、ブロック図の配置の実装に関する詳細は、実施形態が実装されるプラットフォームに大いに依存するという事実、すなわち、そのような詳細は当業者の範囲内で適切にされるべきであることを考慮して、配置がブロック図の形で示されていることがある。例示の実施形態を説明するために具体的な詳細（例えば回路）が説明されている場合、これらの具体的な詳細を用いずに、あるいはその変形を用いて実施形態を実施することも可能であることが当業者に明らかであるものとする。したがって、説明は限定ではなく、例示と見なされるべきである。
【００５２】
本明細書において、「結合」という用語は、問題となっているコンポーネントの間の任意のタイプの直接又は間接的関係を指し、電気、機械、流体、光学、電磁気、電気機械又は他の接続に当てはまることがある。加えて、本明細書において、「第１」、「第２」等の用語は、の定めがない限り、議論を容易にするためだけに使用されており、特定の時間的又は年代的な意味を持たないことがある。
【００５３】
当業者は、前述の説明から、実施形態の広範な技術を様々な形で実装することができることを認識するであろう。したがって、実施形態は、その特定の例に関連して説明されているが、図面、明細書及び以下の特許請求の範囲の教示により、他の修正が当業者には明らかとなるので、実施形態の実際の範囲はそのように限定されるべきではない。
【図１】
2018518070.tif 000006
【図２】
2018518070.tif 000007
【図３】
2018518070.tif 000008
【図４】
2018518070.tif 000009
【国際調査報告】
2018518070.tif 000010
2018518070.tif 000011